(57)【要約】      （修正有）【課題】温度管理や好適な養分補給を行うことが容易な栽培具を提供する。【解決手段】外側パイプ２０と、外側パイプ２０の内壁部２６との間に断熱用空間部Ｋを形成した状態で、外側パイプ内に遊入される中間パイプ４０と、断熱用空間部Ｋに配置される断熱用部材８８と、中間パイプ４０内に遊入され、内部空間を栽培用材８０で充填し、壁部５５に貫通孔を具備する複数個の内側パイプ５０とを備える。個々の内側パイプ５０と隣接する他の内側パイプ５０との間に隙間部が形成される。中間パイプ４０の内壁部４７の内側であって、内側パイプ５０の外壁部の外側に位置する部位に形成される空き空間部Ｃを栽培用材８５で充填する。  【選択図】図３
0003145865.tif 000002
【実用新案登録請求の範囲】
【請求項１】
外側筒状部と、
該外側筒状部と軸心方向を揃えつつ、該外側筒状部の内壁部との間に断熱用空間部を形成した状態で、該外側筒状部内に遊入される中間筒状部と、
該断熱用空間部に配置される断熱用部材と、
該中間筒状部と軸心方向を揃えつつ、該中間筒状部内に遊入され、内部空間を栽培用材で充填すると共に、壁部に貫通孔を具備する内側筒状部と、
前記中間筒状部の内壁部の内側であって、前記内側筒状部の外壁部の外側に位置する部位に形成される空き空間部を充填する栽培用材と、
を備えることを特徴とする栽培具。  
【請求項２】
外側筒状部と、
該外側筒状部と軸心方向を揃えつつ、該外側筒状部の内壁部との間に断熱用空間部を形成した状態で、該外側筒状部内に遊入される中間筒状部と、
該断熱用空間部に配置される断熱用部材と、
該中間筒状部と軸心方向を揃えつつ、該中間筒状部内に遊入され、内部空間を栽培用材で充填し、壁部に貫通孔を具備する複数個の内側筒状部と、
を備え、
個々の内側筒状部と、隣接する他の内側筒状部との間に隙間部が形成されると共に、
前記中間筒状部の内壁部の内側であって、前記内側筒状部の外壁部の外側に位置する部位に形成される空き空間部を栽培用材で充填することを特徴とする栽培具。  
【請求項３】
前記複数個の内側筒状部が略等間隔に配設されることを特徴とする請求項２に記載の栽培具。
【請求項４】
隣接する内側筒状部の間の間隔を保持するための保持部材を備えることを特徴とする請求項２又は請求項３に記載の栽培具。
【請求項５】
前記保持部材は、前記中間筒状部の軸心方向に貫通する貫通部を備えることを特徴とする請求項４に記載の栽培具。
【考案の詳細な説明】
【技術分野】
【０００１】
本考案は、栽培具に関する。
【背景技術】
【０００２】
山芋は、古来より、地中で栽培（以下、「地中栽培」という。）されていた。ところが、地中栽培された山芋は、有害動物（猪等）によって食い荒されることがある。また、この地中栽培を、農業専門家以外の者（以下、「一般人」という。）が行うことは困難である。
【０００３】
このため、地中以外の箇所、つまり、地上においても、山芋の栽培を行うことを可能とするための栽培具が提案されている。即ち、壁体によって囲閉空間を形成し、この囲閉空間の上部の壁体間に、山芋の成長芋部が通過可能な孔を有する孔空き板を張設すると共に、孔空き板の上面に成長芋部の伸長で突き抜け可能な無孔体を載せ、囲閉空間の無孔体の上方空間内に、ムカゴを植える土壌を盛った、栽培具が提案されている（特許文献１を参照、以下、「従来例」という。）。
【特許文献１】特開２００４−５７０４０公報
【考案の開示】
【考案が解決しようとする課題】
【０００４】
ところが、この従来例に係る栽培具においては以下のような問題を有している。つまり、この地上において用いられる栽培具よると、山芋を栽培する際の温度管理を簡易に行うことができない。換言すると、この栽培具によって、「温度を一定に保つことが容易な地中」と同じ環境を作ることは困難である。例えば、夏期において栽培具内の温度が必要以上に高くなり、当該栽培具内の環境が作物（山芋等）の栽培に不適切なものとなったり、冬季において栽培具内の温度が必要以上に低くなり、当該栽培具内の環境が作物（山芋等）の栽培に不適切なものとなることがあるためである。また、この栽培具によると、被栽培物である山芋に対して、養分の補給を好適に行うことが困難である。
【０００５】
本考案は、上述の課題を解決するものであり、温度管理や好適な養分補給を行うことが容易な栽培部を提供すること目的とする。
【課題を解決するための手段】
【０００６】
請求項１の栽培具は、
外側筒状部と、
該外側筒状部と軸心方向を揃えつつ、該外側筒状部の内壁部との間に断熱用空間部を形成した状態で、該外側筒状部内に遊入される中間筒状部と、
該断熱用空間部に配置される断熱用部材と、
該中間筒状部と軸心方向を揃えつつ、該中間筒状部内に遊入され、内部空間を栽培用材で充填すると共に、壁部に貫通孔を具備する内側筒状部と、
前記中間筒状部の内壁部の内側であって、前記内側筒状部の外壁部の外側に位置する部位に形成される空き空間部を充填する栽培用材と、
を備えることを特徴とする。  
【０００７】
請求項１の考案の栽培具では、外側筒状部内に中間筒状部を遊びを持った状態で（外側筒状部の内壁部と中間筒状部の外壁部との間に隙間部を形成した状態で）、挿入し（即ち、遊入し）、外側筒状部と中間筒状部との間に断熱用空間部を形成する。そして、この断熱用空間部に断熱用部材を配置するため、中間筒状部の内部空間内の温度管理を好適に行うことができる。よって、この中間筒状部内に配置される内側筒状部内において、所定の作物（山芋等）を栽培する際に、好適な温度管理を行うこと（例えば、地中と同じような温度に管理すること）ができる。
【０００８】
また、請求項１の考案の栽培具では、内側筒状部の内部空間を栽培用材（つまり、土壌及び養分）の充填部位とすると共に、中間筒状部内の空き空間部（つまり、中間筒状部内において、内側筒状部の外側に位置する部位）も栽培用材（つまり、土壌及び養分）の充填部位とする。しかも、内側筒状部の壁部に貫通孔を設け、空き空間部内の栽培用材の養分を、内側筒状部の内部に適宜、補給可能とする。つまり、請求項１の考案の栽培具では、実際に、作物（山芋等）が配設される内側筒状部の内部に止まらず、内側筒状部の外側にも養分を配置し、内側筒状部の外側の養分を適宜、内側筒状部の内部に補給可能とする。よって、請求項１の考案の栽培具によると、所定の作物（山芋等）を栽培する際に、好適な養分補給を行うことができる。
【０００９】
ここで、各請求項の栽培具によって栽培される作物（被栽培物）としては、例えば、山芋（つまり、ヤマノイモ科植物である自然薯、長芋）を例示できる。尚、山芋は食用に供される「成長芋部（長尺状の根）」を有しているため、内側筒状部を長尺状に設けることが好ましい。例えば、内側筒状部の軸心を上下に向けつつ、内側筒状部に充填される栽培用材のうちで、内側筒状部の上端側に位置する部位に、ムカゴ（たね芋）を植えると、ムカゴ（たね芋）から延びた成長芋部（長尺状の根）が、長尺状の内側筒状部内を下方に伸長することができるからである。
【００１０】
このように、各請求項の栽培具によって山芋を栽培する場合、内側筒状部を細くして、細長い山芋を得ることもできる。蓋し、本栽培具では、養分の補給を内側筒状部の外部から行うことができるため、内側筒状部を細くしても（つまり、内側筒状部の内部の栽培用材の量が少なくなり、内側筒状部の内部に充填される養分の量を少なくしても）、山芋に対して好適な養分補給を行うことができるからである。例えば、内側筒状部の内径（直径）を３０ｍｍ〜７０ｍｍとし、内側筒状部の長さ（軸心方向に沿った長さ）を、内側筒状部の内径の１０倍〜１５０倍とする態様を例示することもできる。
【００１１】
通常、一般家庭において山芋を「地中栽培」する場合、成長芋部（長尺状の根）がまっすぐに伸長した良好な山芋を収穫することは難しい。蓋し、ムカゴ（たね芋）を、ただ単に、土壌に植えるだけでは塊根となってしまい、棒状の成長芋部（長尺状の根）を有する良好な山芋を収穫することは困難であるからである。一方、請求項１の考案によると、内側筒状部の内部で、成長芋部（長尺状の根）の栽培を行うことで、この成長芋部（長尺状の根）の伸長状態の管理を好適に行うことができる。よって、請求項１の考案によると、一般家庭においても、成長芋部（長尺状の根）がまっすぐに伸長した良好な山芋を収穫することができる。
【００１２】
また、各請求項の栽培具で栽培される作物（被栽培物）としては、山芋の他に、ゴボウ、長尺な大根（所謂、守口大根等）、人参等を例示できる。尚、各請求項の栽培具においては、大和芋、ジャガイモ等の非長尺状（例えば、拳状若しくは塊状）の作物（被栽培物）を栽培することもできる。この場合、内側筒状部の内径（直径）を大きく（例えば、１００ｍｍ〜２００ｍｍとする）ことが望ましい。一方、内側筒状部の長さ（軸心方向に沿った長さ）を、必ずしも長くする必要はなく、例えば、内側筒状部の内径の１倍〜１５０倍とする態様を例示できる。
【００１３】
外側筒状部と、中間筒状部と、内側筒状部の具体的な形状は種々選択できるが、例えば、略円筒形状、断面が多角形枠形状の筒形状、等を例示できる。また、「貫通孔」の形成態様も種々例示できるが、例えば、内側筒状部の壁部に対して散点状に形成する態様を例示できる。尚、この貫通孔は、内側筒状部の壁部を肉厚方向に貫通する孔である。
【００１４】
「断熱用部材」の具体的な態様も種々選択可能であるが、例えば、発泡スチロールを用いて構成される断熱用部材や、グラスウールを用いて構成される断熱用部材等を例示できる。また、土等を用いて断熱用部材を構成してもよい。更に、「栽培用材」としては、栽培用の土に、肥料（養分）を混合して構成される栽培用材を例示できる。より具体的には、「土」に、「水こけ」、「あし」、若しくは、「すすき」等の肥料成分を混合した栽培用材を例示できる。尚、内側筒状部の内部空間を充填する栽培用材と、空き空間部を充填する栽培用材と、が同一であってもよいし（肥料の成分が同一であってもよいし）、異なっていてもよい（肥料の成分が異なっていてもよい）。
【００１５】
請求項２の栽培具は、
外側筒状部と、
該外側筒状部と軸心方向を揃えつつ、該外側筒状部の内壁部との間に断熱用空間部を形成した状態で、該外側筒状部内に遊入される中間筒状部と、
該断熱用空間部に配置される断熱用部材と、
該中間筒状部と軸心方向を揃えつつ、該中間筒状部内に遊入され、内部空間を栽培用材で充填し、壁部に貫通孔を具備する複数個の内側筒状部と、
を備え、
個々の内側筒状部と、隣接する他の内側筒状部との間に隙間部が形成されると共に、
前記中間筒状部の内壁部の内側であって、前記内側筒状部の外壁部の外側に位置する部位に形成される空き空間部を栽培用材で充填することを特徴とする。  
【００１６】
請求項２の考案によっても、請求項１の考案の効果を得ることができる。加えて、請求項２の栽培具によると、複数個の内側筒状部を用いて、複数の作物（被栽培物）を同時に栽培できる。しかも、隣接する内側筒状部の間にも、栽培用材が充填される。従って、請求項２の栽培具によると、確実な養分補給を行いつつ、複数の作物（被栽培物）を効率的に栽培することができる。
【００１７】
請求項３の栽培具は、請求項２に記載の栽培具において、
前記複数個の内側筒状部が略等間隔に配設されることを特徴とする。
【００１８】
請求項３の考案によると、複数個の内側筒状部を略等間隔に配設するため、各内側筒状部の外部から各内側筒状部の内部に対して、満遍なく、養分を補給できる。つまり、各内側筒状部の周囲に存在する「栽培用材」の量の偏りを少なくできるため、各内側筒状部内で栽培される、複数の作物（被栽培物）間の品質の偏りを少なくできる。
【００１９】
請求項４の栽培具は、請求項２又は請求項３に記載の栽培具において、
隣接する内側筒状部の間の間隔を保持するための保持部材を備えることを特徴とする。
【００２０】
請求項４の考案では、保持部材を備えるため、栽培具の取り扱い（組み立て、搬送等）が容易である。また、使用中に、隣接する内側筒状部の間の間隔が、不用意に変化することを確実に防止できる。
【００２１】
請求項５の栽培具は、請求項４に記載の栽培具において、
前記保持部材は、前記中間筒状部の軸心方向に貫通する貫通部を備えることを特徴とする。
【００２２】
請求項５の考案では、保持部材が貫通部を備えるため、中間筒状部に供給される水や、中間筒状部内に配設された養分を、中間筒状部の軸心方向に沿って通過させることが容易である。よって、複数の作物（被栽培物）の栽培をより効率的に行うことができる。
【考案の効果】
【００２３】
以上のように、本各考案によると、温度管理や好適な養分補給を行うことが容易な栽培具が得られる。
【考案を実施するための最良の形態】
【００２４】
次に、本各考案に係わる「栽培具」の最良の形態（以下、「実施例」という。）を図面に従って詳細に説明する。
【００２５】
本実施例の栽培具（以下、「本栽培具」という。）１は、図１〜図４に示すように、台座部材１０と、外側パイプ２０と、蓋体３０と、中間パイプ４０と、７本の内側パイプ５０と、保持部材６０と、支持部材７０と、栽培用材８０、８５と、断熱用部材８８と、を備えている。
【００２６】
台座部材１０は、樹脂製（例えば、塩化ビニル製）で、円筒形のパイプを用いて構成されている。この台座部材１０は、軸心を上下方向に向けて用いられると共に、下端部１１側で外径及び内径を大きくし、上端部１２側で外径及び内径を小さくした「台形状」を備える。
【００２７】
この台座部材１０は、図５（ａ）に示すように、下端部１１側に、外径及び内径が大きくされた大径部１３を備え、上端部１２側に、外径及び内径が大きくされた小径部１５を備えている。そして、大径部１３の上端部と、小径部１５の下端部との間に、円錐台形状の外形を備える径変化部１４を備えている。つまり、この径変化部１４は、その外径及び内径を、台座部材１０の上方側に向かうに従って、徐々に減少させている。
【００２８】
台座部材１０の内壁部において、小径部１５の下端部（径変化部１４の上端部）に相当する部位からは、第１のリブ１６が突出している。この第１のリブ１６は、リング形状とされつつ、小径部１５の半径内側方向に突出している。この第１のリブ１６において、台座部材１０の内壁部からの突出長（小径部１５の半径内側方向に沿った長）は、台座部材１０の肉厚と略等しくされている。また、台座部材１０の肉厚は、後述する「外側パイプ２０の肉厚」と等しくされている。
【００２９】
この第１のリブ１６の内側（小径部１５の半径内側方向に沿った内側）には、平面形状が円形の通過用空間部１６ａが形成されている。尚、この第１のリブ１６は、外側パイプ２０を支持するが、中間パイプ４０及び内側パイプ５０を、通過用空間部１６ａに通過させる。この点に関しては、後述する。
【００３０】
台座部材１０の内壁部において、大径部１３の上下方向に沿った中間部に相当する部位からは、第２のリブ１７が突出している。この第２のリブ１７は、リング形状とされつつ、大径部１３の半径内側方向に突出している。また、この第２のリブ１７の内側の端部（大径部１３の半径内側方向に沿った端部）は、段部（１７１Ａ、１８、１７１Ｂ）となっている。つまり、この第２のリブ１７は、内径の大きなリング状の突起部１７Ａと、内径の小さなリング状の突起部１７Ｂとを上下に、かつ、一体的に並べた構成を備える。そして、「上方に位置する突起部１７Ａ（突出長が短く、内径が大きな突起部１７Ａ）の突端面１７１Ａ」と、「下方に位置する突起部１７Ｂ（突出長が長く、内径が小さな突起部１７Ａ）の突端面１７１Ｂ」と、「下方に位置する突起部１７Ｂの上面部のうちで、両突端面１７１Ａ、１７１Ｂで挟まれた部分（以下、支持面という。）１８」とによって、段部（１７１Ａ、１８、１７１Ｂ）を構成している。
【００３１】
第２のリブ１７の内側（大径部１３の半径内側方向に沿った内側）には、大きさが異なる２種類の空間部１７ｂ、１７ｃが形成されている。つまり、何れの空間部１７ｂ、１７ｃも、「円形の平面形状を備える空間」とされているが、上方に位置する空間部１７ｂ（上方に位置する突起部１７Ａの内側に形成される空間部１７ｂ）のサイズが、下方に位置する空間部１７ｃ（下方に位置する突起部１７Ｂの内側に形成される空間部１７ｃ）のサイズよりも大きくされている。尚、上下の空間部１７ｂ、１７ｃは同軸状に配置されている。また、上方に位置する空間部１７ｂを支持空間部１７ｂと称し、下方に位置する空間部１７ｃを挿通空間部１７ｃと称する。
【００３２】
外側パイプ２０は、「外側筒状部」の具体例を構成するものであり、図２及び図３に示すように、樹脂製（例えば、塩化ビニル製）で、円筒形のパイプを用いて構成されている。この外側パイプ２０は、軸心方向に沿って一定の外径と内径を備えている。この外側パイプ２０の下端部２２は、台座部材１０の小径部１５に嵌入可能なサイズとされている。
【００３３】
蓋体３０は、図５（ｂ）に示すように、樹脂（例えば、塩化ビニル）を蓋形状に成形して構成されるものであり、略円板状の上板部３１と、上板部３１の下面における周縁側から略円柱に垂下する周壁部３２と、を備えている。
【００３４】
上板部３１の裏面部には、大小２つの周回溝３４、３５が形成されている。これらの周回溝３４、３５の円形に形成される経路の中心部は、上板部３１の中心部と一致している。このうち、外側に位置すると共に大型の周回溝３４は、外側パイプ２０の上端部２１を嵌入可能なサイズとされている（図２等を参照）。また、この周回溝３４の外周側の壁面３４ａは、周壁部３２の内周面３２ａと面一となっている。更に、内側に位置すると共に小型の周回溝３５は、後述する中間パイプ４０の上端部４１を、嵌入可能なサイズとされている。
【００３５】
上板部３１において、「内側の周回溝３５」の更に内側の部位には、７つの通過孔３３ａ〜３３ｇが、当該上板部３１を肉厚方向に貫通する状態に形成されている（図１を参照）。具体的には、上板部３１の中心部に平面形状が円形の通過孔３３ａが形成されている。また、「上板部３１の中心部を重心とした仮想的な正６角形」の頂点に相当する位置に、平面形状が円形の通過孔３３ｂ〜３３ｇが形成されている。
【００３６】
上板部３１の裏面部であって、各通過孔３３ａ〜３３ｇの下端側の開口部の周囲の部位には、凹部３６が設けられている。これらの凹部３６は、対応する通過孔３３ａ〜３３ｇと同心状とされている。そして、これらの凹部３６の外縁部は、対応する通過孔３３ａ〜３３ｇの外縁部よりも一回り大きな円形とされている。
【００３７】
中間パイプ４０は、「中間筒状部」の具体例を構成するものであり、図６に示すように、樹脂製（例えば、塩化ビニル製）で、円筒形のパイプを用いて構成されている。この中間パイプ４０は、軸心方向に沿って一定の外径と内径を備えている。但し、この中間パイプ４０の全長は、外側パイプ２０の全長よりも長くされているが、中間パイプ４０の外径は、外側パイプ２０の内径よりも小さくされている。
【００３８】
また、中間パイプ４０の内壁部４７において、中間パイプ４０の上下方向に沿った中間に位置する部位からは、支持リブ４４が突出している。この支持リブ４４は、リング形状とされつつ、中間パイプ４０の半径内側方向に突出している。この支持リブ４４の内側（中間パイプ４０の半径内側方向に沿った内側）には、平面形状が円形の挿通用空間部４４ａが形成されている。尚、この挿通用空間部４４ａは、所定の間隔をおきつつ配置される「７本の内側パイプ５０」を通過可能とさている。この点に関しては、後述する。
【００３９】
各内側パイプ５０は、「内側筒状部」の具体例を構成するものであり、図７に示すように、樹脂製（例えば、塩化ビニル製）で、円筒形のパイプを用いて構成されている。この内側パイプ５０は、軸心方向に沿って一定の外径と内径を備えている。この内側パイプ５０の上端部５１は、前述の凹部３６に嵌入可能なサイズとされている。また、内側パイプ５０の内径は、通過孔３３ａ〜３３ｇの内径と略等しくされている。更に、内側パイプ５０の壁部５５には、貫通孔５５ａが散点状に設けられている。これらの貫通孔５５ａは、壁部５５を貫通する状態に設けられている。
【００４０】
保持部材６０は、樹脂（例えば、塩化ビニル製）を用いて作製される一体成形品であり、図８に示すように、外側リング部６１と、７個の内側リング部６２と、連結リブ６３と、を備えている。このうち、外側リング部６１は、中間パイプ４０に嵌入可能な外径を備えると共に、前述の「７個の通過孔３３ａ〜３３ｇ」を包囲可能な内径を備えている。
【００４１】
また、７個の内側リング部６２は、外側リング部６１の内側に連結リブ６３を用いて配置されている。これらの内側リング部６２は、内側パイプ５０を嵌入可能な内径を備えている。そして、７個の内側リング部６２のうちの１個が、外側リング部６１の中心部に配置されている。また、残りの６個の内側リング部６２が、「外側リング部６１の中心部を重心とした仮想的な正６角形」の頂点に相当する位置に配置されている。更に、外側リング部６１の内縁部と、内側リング部６２の外縁部との間に位置し、保持部材６０を上下に貫通する部分によって貫通部６５を構成している。
【００４２】
支持部材７０は、図９（ａ）及び（ｂ）に示すように、本体部７１と、７個の垂下部７２とを備えている。このうち、本体部７１は、第２のリブ１７の内側であって、支持空間部１７ｂに嵌合可能な略円板状に構成されている。また、本体部７１には、７個の連通孔７１ａが設けられている。これらの連通孔７１ａは、円形の平面形状を備えると共に、本体部７１を肉厚方向に貫通する状態に設けられている。
【００４３】
７個の連通孔７１ａのうちの１個が、本体部７１の中心部に形成されている。また、残りの６個の連通孔７１ａが、「本体部７１の中心部を重心とする仮想的な正６角形」の頂点に相当する位置に配置されている。
【００４４】
各垂下部７２は、本体部７１の裏面部であって、各連通孔７１ａの周縁部を包囲する部位から、略筒状に垂下している。これらの垂下部７２は、下方側に向かって、内径及び外径が徐々に小さくされる筒形状に構成されている。そして、下端の開口部７１ｂを下方に開放している。このため、垂下部７２内に進入した水を、この開口部７１ｂを通じて本栽培具１の下方に排出することができる。
【００４５】
栽培用材８０、８５は、栽培用の土に、肥料（養分）を混合させたもの（土に、水こけ、あし、すすき等を混合させたもの）である。また、断熱用部材８８としては、発泡スチロールを用いている。
【００４６】
次に、本栽培具１の組み立ての手順の一具体例について説明する。先ず、台座部材１０に対して支持部材７０を組み付ける。この組み付けに際しては、台座部材１０を、その下端部を設置面Ｓに当接させた状態で（小径部１５を上方に、大径部１３を下方に向け、軸心を上下に向けた状態で）、設置面Ｓ上に配置する（図３を参照）。そして、７個の垂下部７２の垂下端（開口部７１ｂ）を先頭に、支持部材７０を、台座部材１０の上端部側の開口部（小径部１５の開口部）から、台座部材１０内に挿入する。
【００４７】
これにより、７個の垂下部７２が、支持空間部１７ｂ及び挿通空間部１７ｃに挿通され、本体部７１が支持空間部１７ｂに嵌合される。そして、本体部７１の下面部の周縁側の部位が、支持面１８に当接すると共に、７個の垂下部７２の垂下端（開口部７２ｂ）が、設置面Ｓに近接した状態となり、支持部材７０の台座部材１０への組み付けを完了する。
【００４８】
この後、台座部材１０に、外側パイプ２０と、中間パイプ４０と、保持部材６０と、７本の内側パイプ５０と、栽培用材８０、８５と、断熱用部材８８と、を組み付ける。つまり、外側パイプ２０は、その下端部２２を小径部１５に嵌入しつつ、台座部材１０に組み付けられる。この外側パイプ２０の組み付けは、外側パイプ２０の下端部２２（下端面）が、第１のリブ１６の上面部に当接することによって完了する。これにより、外側パイプ２０は、軸心を上下方向に向けた状態とされる。
【００４９】
中間パイプ４０の組み付けは、この中間パイプ４０を外側パイプ２０の内側に同軸状に挿入することによって行われる。つまり、この組み付けは、中間パイプ４０の軸心の方向を上下方向に向けつつ（外側パイプ２０と軸心方向を揃えつつ）、しかも、中間パイプ４０の軸心の位置と、外側パイプ２０の軸心の位置とを一致させつつ、行われる。
【００５０】
この中間パイプ４０の組み付けにより、中間パイプ４０の下端部（下端面）４３が、支持部材７０の上面部の周縁側に当接すると共に、中間パイプ４０の上端部（上端面）４１と、外側パイプ２０の上端部（上端面）２１とが、同一の高さに配置される。また、外側パイプ２０の内壁部２６と、中間パイプ４０の外壁部４６との間に、略円筒状の断熱用空間部Ｋが構成される。そして、断熱用空間部Ｋには、断熱用部材８８が組み付け組み付けられる（図３及び図４を参照）。尚、断熱用空間部Ｋの容積や断熱用部材８８の総量は、本栽培具１の使用環境（周囲の温度等）を考慮して種々変更可能である。つまり、本実施例では、断熱用空間部Ｋを略円筒状の空間部とし、断熱用部材８８を、この断熱用空間部Ｋを充填するものとした。この場合、断熱用空間部Ｋを充填する断熱用部材８８の肉厚（本実施例では、外側パイプ２０や断熱用空間部Ｋの径方向に沿った厚み）を、例えば、３ｃｍ以上（より好ましくは、５ｃｍ以上）とすることが、断熱用部材８８によって、より確実な断熱効果を得る上で望ましい。尚、この場合、断熱用部材８８の肉厚の上限値を、例えば、１００ｃｍ（より好ましくは、５０ｃｍ）とし、断熱用部材８８の重量が必要以上に多くなることを防止してもよい。
【００５１】
７本の内側パイプ５０と、保持部材６０は、中間パイプ４０の内側に以下のように組み込まれる。つまり、７本の内側パイプ５０の軸心方向を揃え、しかも、７本の内側パイプ５０の上端部５１及び下端部５２の位置（内側パイプ５０の軸心方向に沿った位置）を揃えた状態で、保持部材６０の内側リング部６２の各々に、内側パイプ５０を挿通する。そして、保持部材６０を、７本の内側パイプ５０の軸心方向に沿った中間部に配置する。
【００５２】
この後、保持部材６０によって保持された「７本の内側パイプ５０」を中間パイプ４０の内側に挿入する。この際、７本の内側パイプ５０の軸心の方向が上下方向に向けられる。つまり、７本の内側パイプ５０の軸心の方向が中間パイプ４０と軸心方向を揃えられる。同時に、各内側パイプ５０の軸心を、何れか１つの垂下部７２の軸心と鉛直上下方向に位置合わせする。
【００５３】
そして、各内側パイプ５０の下端部５２を、何れ１つの連通孔７１ａに挿通し、更に、その連通孔７１ａの直下に位置する垂下部７２の内壁部７２ａに当接させる。この際、外側リング部６１は、中間パイプ４０の内壁部４７に摺動しつつ、中間パイプ４０の上下方向に沿った中間部に挿入され、第１のリブ１６の上面部上に当接状に設置される。
【００５４】
この７本の内側パイプ５０及び保持部材６０の組み付けを完了すると、７本の内側パイプ５０の上端部（上端面）５１が、中間パイプ４０の上端部（上端面）４１及び外側パイプ２０の上端部（上端面）２１と、同一の高さに配置される（図３を参照）。また、７本の内側パイプ５０の間には、隙間部Ａが形成される。また、図４に示すように、正６角形状に並ぶ、５つの内側パイプ５０（外縁部側に並ぶ内側パイプ５０）の外壁部と、中間パイプ４０の内壁部４７との間には隙間部Ｂが形成される。つまり、中間パイプ４０の内部には、隙間部Ａ、Ｂを用いて構成される略練炭状の空き空間部Ｃが形成される。そして、この空き空間部Ｃには、栽培用材８５が充填される。
【００５５】
尚、本実施例では、各内側パイプ５０の間隔が、保持部材６０の作用で一定に保持される。しかも、各内側パイプ５０はその中間部を保持部材６０で支持されるばかりか、その下端部５２も垂下部７２によって支持されるため、各内側パイプ５０の間隔を保持することがより一層、容易なものとなっている。加えて、保持部材６０が貫通部６５を具備し、中間パイプ４０の内部空間のうちで、保持部材６０の上方に位置する部位と、保持部材６０の下方に位置する部位とを連通する。このため、中間パイプ４０に供給される水や、中間パイプ４０内に配設された養分を、中間パイプ４０に沿って通過させることが容易である。
【００５６】
この後、蓋体３０の装着が行われる。この装着は、上板部３１の裏面部を下方に向け、蓋体３０の軸心を、外側パイプ２０の軸心に同軸状に位置合わせしつつ行われ、周壁部３２を外側パイプ２０の上端部２１に嵌合することで完了する。このとき、上板部３１の裏面部の大型の周回溝３４には、外側パイプ２０の上端部２１が嵌入され、上板部３１の裏面部の小型の周回溝３５は、中間パイプ４０の上端部４１が嵌入される。また、上板部３１の裏面部の各凹部３６には、対応する内側パイプ５０の上端部５１が嵌入される（図１０を参照）。
【００５７】
本栽培具１においては、図１１に示すように、内側パイプ５０内の栽培用材８０のうちで、内側パイプ５０の上端部５１側に位置する部位に、山芋の種芋（ムカゴ）Ｍが配設される。そして、栽培時間の経過に伴って、この種芋（ムカゴ）Ｍから発芽した葉Ｎは、内側パイプ５０の上方に伸び、対応する通過孔３３ａ〜３３ｇを通じて、本栽培具１の外部に進出する。一方、種芋（ムカゴ）Ｍから伸びる「成長芋部Ｐ」は、内側パイプ５０を下方に伸長する。尚、図１２に示すように、本栽培具１の上部にネットＱの一端部を装着する。そして、ネットＱの他端部を支柱Ｒで保持すれば、日々伸長する葉Ｎが、「収まりの良い」状態となる。
【００５８】
本栽培具１では、外側パイプ２０と中間パイプ４０との間に断熱用空間部Ｋを形成し、この断熱用空間部Ｋに断熱用部材８８を配置するため、中間パイプ４０の内部空間内の温度管理を好適に行うことができる。よって、この中間パイプ４０内に配置される内側パイプ５０内において、所定の作物（山芋等）を栽培する際に、好適な温度管理を行うこと（例えば、地中と同じような温度に管理すること）ができる。
【００５９】
また、本栽培具１では、内側パイプ５０の内部空間を栽培用材８０（つまり、土壌及び養分）の充填部位とすると共に、中間パイプ４０内の空き空間部Ｃを栽培用材８５の充填部位とする。しかも、内側パイプ５０の壁部５５に貫通孔５５ａを設け、空き空間部Ｃの養分を、内側パイプ５０の内部に適宜、補給可能とする。つまり、本栽培具１では、実際に、作物（山芋等）が配設される内側パイプの内部に止まらず、内側パイプ５０の外側にも養分を配置し、内側パイプ５０の外側の養分を適宜、内側パイプ５０の内部に補給可能とする。よって、本栽培具１によると、所定の作物（山芋等）を栽培する際に、好適な養分補給を行うことができる。
【００６０】
また、本栽培具１では、内側パイプ５０を長尺状に設けつつ、その軸心を上下に向けるため、山芋の栽培に好適である。加えて、本栽培具１によると、複数個の内側パイプ５０を用いて、複数の作物（被栽培物）を同時に栽培できる。しかも、隣接する内側パイプ５０の間にも、栽培用材８５が充填される。従って、本栽培具１によると、確実な養分補給を行いつつ、複数の作物（被栽培物）を効率的に栽培することができる。
【００６１】
また、本栽培具１によると、複数個の内側パイプ５０を略等間隔に配設するため、各内側パイプ５０の外部から各内側パイプ５０に対して、満遍なく、養分を補給できる。つまり、各内側パイプ５０の周囲に存在する「栽培用材８５」の量の偏りを少なくできるため、各内側パイプ内で栽培される、複数の作物（被栽培物）間の品質の偏りを少なくできる。
【００６２】
尚、本各考案の範囲は前記各実施例に示す具体的な態様に限定されず、本各考案の範囲内で種々の変形例を例示できる。例えば、本栽培具１で栽培される作物（被栽培物）としては、ゴボウ、長尺な大根（所謂、守口大根等）等を例示することもできる。また、本栽培具１で栽培される作物（被栽培物）としては、大和芋、ジャガイモ等の非長尺状（例えば、拳状若しくは塊状）の作物（被栽培物）を例示することもできる。
【産業上の利用可能性】
【００６３】
本考案は、例えば、栽培具の生産、販売、加工等を行う分野で利用可能である。
【図面の簡単な説明】
【００６４】
【図１】本栽培具の斜視図である。
【図２】図１の本栽培具の分解斜視図である。
【図３】図１の本栽培具の縦断面図（通過孔３３ｃ、３３ａ、３３ｆを通過する縦断面に沿った縦断面図）である。
【図４】図２の２−２断面図である。
【図５】（ａ）は台座部材の縦断面図であり、（ｂ）は蓋体の縦断面図である。
【図６】中間パイプの縦断面図である。
【図７】内側パイプを示す斜視図である。
【図８】保持部材を示す斜視図である。
【図９】（ａ）は支持部材の斜視図であり、（ｂ）は支持部材の縦断面図である。
【図１０】図１の一部拡大縦断面図である。
【図１１】本栽培具の使用例を示す説明図である。
【図１２】本栽培具の使用例を示す説明図である。
【符号の説明】
【００６５】
１；栽培具、
２０；外側パイプ（外側筒状部）、
４０；中間パイプ（中間筒状部）、
５０；内側パイプ（内側筒状部）、
６０；保持部材、
８０、８５；栽培用材、
８８；断熱用部材、
Ａ、Ｂ；隙間部、
Ｃ；空き空間部、
Ｋ；断熱用空間部。
【図１】
0003145865.tif 000003
【図２】
0003145865.tif 000004
【図３】
0003145865.tif 000005
【図４】
0003145865.tif 000006
【図５】
0003145865.tif 000007
【図６】
0003145865.tif 000008
【図７】
0003145865.tif 000009
【図８】
0003145865.tif 000010
【図９】
0003145865.tif 000011
【図１０】
0003145865.tif 000012
【図１１】
0003145865.tif 000013
【図１２】
0003145865.tif 000014